(57)【要約】【課題】電子商取引セッションの間のグループチャットを管理するためのコンピュータが実行する方法を提供する。【解決手段】本方法は、第１の参加者に関連する第１のクライアントコンピュータ装置と、第２の参加者に関連する第２のクライアントコンピュータ装置との間のチャットセッションを開始することと、電子商取引ウェブサイトの少なくとも一つのビューを第１のクライアントコンピュータ装置及び第２のクライアントコンピュータ装置と共有することを含む。第１のクライアントコンピュータ装置及び第２のクライアントコンピュータ装置は、電子商取引ウェブサイトの少なくとも一つのビューを表示するように構成される。少なくとも一つのビューは、少なくとも一つの購入可能な商品を含む。【選択図】図６
2019083069.tif 000002
【特許請求の範囲】
【請求項１】
電子商取引セッションの間のグループチャットを管理するためのコンピュータで実行する方法であって、前記方法はメモリと通信する電子商取引チャットサーバを用いて実行され、前記方法は、
電子商取引チャットサーバによって、少なくとも、第１の参加者と関連する第１のクライアントコンピュータ装置と、第２の参加者と関連する第２のクライアントコンピュータ装置との間のチャットセッションを開始するステップと、
電子商取引チャットサーバによって、電子商取引ウェブサイトの少なくとも一つのビューを、第１のクライアントコンピュータ装置及び第２のクライアントコンピュータ装置と共有するステップであって、ここで、第１のクライアントコンピュータ装置及び第２のクライアントコンピュータ装置は、電子商取引ウェブサイトの少なくとも一つのビューを表示するように構成され、少なくとも一つのビューは、少なくとも一つの購入可能な商品を含むものである、ステップと、
電子商取引チャットサーバによって、少なくとも一つのビューに含まれる少なくとも一つの購入可能な商品に対する購入トランザクションを開始するステップと、
購入トランザクションに対する支払い情報を受信するステップと、
支払い情報に基づいて購入トランザクションを完了するステップと、
を含む方法。
【請求項２】
チャットセッションを開始するステップは、さらに、
前記第１のクライアントコンピュータ装置から、電子商取引ウェブサイトの指示及び第２の参加者識別子を含むチャットセッションの開始要求を受信するステップと、
前記第２の参加者識別子と関連する前記第２のクライアントコンピュータ装置に、前記チャットセッションへの招待状を送信するステップと、
前記第２のクライアントコンピュータ装置から、招待状受諾メッセージを受信するステップと、
前記第２のクライアントコンピュータ装置に、前記電子商取引ウェブサイトの前記指示を送信するステップと、
前記第１のクライアントコンピュータ装置と、前記第２のクライアントコンピュータ装置との間の前記チャットセッションを開始するステップと、
を含む請求項１に記載の方法。
【請求項３】
電子商取引ウェブサイトの少なくとも一つのビューを共有するステップは、さらに、
前記第１のクライアントコンピュータ装置から、前記電子商取引ウェブサイトのビューを受信するステップと、
前記第２のクライアントコンピュータ装置に、前記電子商取引ウェブサイトの前記ビューを送信するステップであって、ここで、前記第２のクライアントコンピュータ装置は、前記電子商取引ウェブサイトの前記ビューを表示するように構成されるものである、ステップと、
を含む請求項１に記載の方法。
【請求項４】
前記第１のクライアントコンピュータ装置から、前記電子商取引ウェブサイトの更新されたビューを受信するステップと、
前記第２のクライアントコンピュータ装置に、前記電子商取引ウェブサイトの前記更新されたビューを送信するステップであって、ここで、前記第２のクライアントコンピュータ装置は、前記電子商取引ウェブサイトの前記更新されたビューを表示するように構成されるものである、ステップと、
をさらに含む請求項３に記載の方法。
【請求項５】
電子商取引ウェブサイトの少なくとも一つのビューを共有するステップは、さらに、
前記第１のクライアントコンピュータ装置から、商品を含むイメージを受信するステップと、
前記イメージに基づいて、前記商品を含む前記電子商取引ウェブサイトのビューを判断するステップと、
前記第２のクライアントコンピュータ装置に、前記電子商取引ウェブサイトの前記判断されたビューを送信するステップであって、ここで、前記第２のクライアントコンピュータ装置は、前記判断されたビューを表示するように構成されるものである、ステップと、
を含む請求項１に記載の方法。
【請求項６】
電子商取引ウェブサイトの少なくとも一つのビューを共有するステップは、さらに、
前記第１のクライアントコンピュータ装置から、前記商品と関連する商品識別子を受信するステップと、
前記商品識別子と関連する前記商品を含む前記電子商取引ウェブサイトのビューを判断するステップと、
前記第２のクライアントコンピュータ装置に、前記電子商取引ウェブサイトの前記ビューを送信するステップと、
を含む請求項１に記載の方法。
【請求項７】
前記支払い情報は、第１の支払い情報及び第２の支払い情報を含み、
前記電子商取引ウェブサイトから、前記第１の参加者によって開始された前記購入トランザクションに対する合計購入金額を受信するステップと、
安全支払いシステムから、前記第１の参加者が第１の金額を支払ったという第１の支払い情報を受信するステップであって、ここで、前記第１の金額は、前記合計購入金額より小さいものである、ステップと、
安全支払いシステムから、前記第２の参加者が第２の金額を支払ったという第２の支払い情報を受信するステップと、
第２の指示に基づいて前記購入トランザクションを完了するステップと、
をさらに含む請求項１に記載の方法。
【請求項８】
前記第１の金額が合計購入価格金額より小さいことを判断するステップと、
前記第１の金額と合計購入価格との間の差分を計算するステップと、
前記第１のクライアントコンピュータ装置、及び前記第２のクライアントコンピュータ装置に、前記計算された差分を送信するステップと、
をさらに含む請求項７に記載の方法。
【請求項９】
前記第２の支払い情報に基づいて、前記第２の金額が前記計算された差分と等しいことを判断するステップと、
前記判断に基づいて、前記購入トランザクションを完了するステップと、
をさらに含む請求項８に記載の方法。
【請求項１０】
電子商取引セッションの間のグループチャットを管理するための電子商取引チャットサーバであって、前記電子商取引チャットサーバは、一つ又はそれ以上のメモリ装置と通信上結合される一つ又はそれ以上のプロセッサを含み、前記電子商取引チャットサーバは、
少なくとも、第１の参加者と関連する第１のクライアントコンピュータ装置と、第２の参加者と関連する第２のクライアントコンピュータ装置との間のチャットセッションを開始し、
電子商取引ウェブサイトの少なくとも一つのビューを、前記第１のクライアントコンピュータ装置及び前記第２のクライアントコンピュータ装置と共有し、ここで、前記第１のクライアントコンピュータ装置及び前記第２のクライアントコンピュータ装置は、前記電子商取引ウェブサイトの前記少なくとも一つのビューを表示するように構成され、前記少なくとも一つのビューは、少なくとも一つの購入可能な商品を含むものであり、
前記少なくとも一つのビューに含まれる前記少なくとも一つの購入可能な商品に対する購入トランザクションを開始し、
前記購入トランザクションに対する支払い情報を受信し、並びに
前記支払い情報に基づいて前記購入トランザクションを完了する、
ように構成される電子商取引チャットサーバ。
【請求項１１】
前記電子商取引チャットサーバは、さらに、
前記第１のクライアントコンピュータ装置から、電子商取引ウェブサイトの指示、及び第２の参加者識別子を含む、チャットセッションの開始要求を受信し、
前記第２の参加者識別子と関連する前記第２のクライアントコンピュータ装置に、前記チャットセッションへの招待状を送信し、
前記第２のクライアントコンピュータ装置から、招待状受諾メッセージを受信し、
前記電子商取引ウェブサイトの前記指示を、前記第２のクライアントコンピュータ装置に送信し、及び
前記第１のクライアントコンピュータ装置と前記第２のクライアントコンピュータ装置との間の前記チャットセッションを開始する、
ように構成される請求項１０に記載の電子商取引チャットサーバ。
【請求項１２】
前記電子商取引チャットサーバは、さらに、
前記第１のクライアントコンピュータ装置から、前記電子商取引ウェブサイトのビューを受信し、及び
前記第２のクライアントコンピュータ装置に、前記電子商取引ウェブサイトの前記ビューを送信し、ここで、前記第２のクライアントコンピュータ装置は、前記電子商取引ウェブサイトの前記ビューを表示するように構成されるものである、
ように構成される請求項１０に記載の電子商取引チャットサーバ。
【請求項１３】
前記電子商取引チャットサーバは、さらに、
前記第１のクライアントコンピュータ装置から、前記電子商取引ウェブサイトの更新されたビューを受信し、及び
前記第２のクライアントコンピュータ装置に、前記電子商取引ウェブサイトの前記更新されたビューを送信し、ここで、前記第２のクライアントコンピュータ装置は、前記電子商取引ウェブサイトの前記更新されたビューを表示するように構成されるものである、
ように構成される請求項１０に記載の電子商取引チャットサーバ。
【請求項１４】
前記電子商取引チャットサーバは、さらに、
前記第１のクライアントコンピュータ装置から、商品を含むイメージを受信し、
前記イメージに基づいて、前記商品を含む前記電子商取引ウェブサイトのビューを判断し、及び
前記第２のクライアントコンピュータ装置に、前記電子商取引ウェブサイトの前記判断されたビューを送信し、ここで、前記第２のクライアントコンピュータ装置は、前記判断されたビューを表示するように構成されるものである、
ように構成される請求項１０に記載の電子商取引チャットサーバ。
【請求項１５】
前記電子商取引チャットサーバは、さらに、
前記第１のクライアントコンピュータ装置から、前記商品と関連する商品識別子を受信し、
前記商品識別子と関連する前記商品を含む前記電子商取引ウェブサイトのビューを判断し、及び
前記第２のクライアントコンピュータ装置に、前記電子商取引ウェブサイトの前記ビューを送信する、
ように構成される請求項１０に記載の電子商取引チャットサーバ。
【請求項１６】
前記支払い情報は、第１の支払い情報及び第２の支払い情報を含み、前記電子商取引チャットサーバは、さらに、
前記電子商取引ウェブサイトから、前記第１の参加者によって開始された前記購入トランザクションに対する合計購入金額を受信し、
安全支払いシステムから、前記第１の参加者が第１の金額を支払ったという前記第１の支払い情報を受信し、ここで、前記第１の金額は、前記合計購入金額より小さいものであり、
前記安全支払いシステムから、前記第２の参加者が第２の金額を支払ったという前記第２の支払い情報を受信し、及び
第２の指示に基づいて前記購入トランザクションを完了する、
ように構成される請求項１０に記載の電子商取引チャットサーバ。
【請求項１７】
前記電子商取引チャットサーバは、さらに、
前記第１の金額が合計購入価格金額よりも小さいことを判断し、
前記第１の金額と合計購入価格との間の差分を計算し、並びに
前記第１のクライアントコンピュータ装置及び前記第２のクライアントコンピュータ装置に、前記計算された差分を送信する、
ように構成される請求項１６に記載の電子商取引チャットサーバ。
【請求項１８】
前記電子商取引チャットサーバは、さらに、
前記第２の支払い情報に基づいて、前記第２の金額が前記計算された差分と等しいことを判断し、及び
前記判断に基づいて、前記購入トランザクションを完了する、
ように構成される請求項１７に記載の電子商取引チャットサーバ。
【請求項１９】
コンピュータ実行可能命令が組み込まれた、少なくとも一つの不揮発性のコンピュータ読み出し可能記憶媒体であって、少なくとも一つのメモリ装置と結合される少なくとも一つのプロセッサを有する電子商取引チャットサーバによって実行されると、前記コンピュータ実行可能命令は、前記プロセッサに、
少なくとも、第１の参加者と関連する第１のクライアントコンピュータ装置と、第２の参加者と関連する第２のクライアントコンピュータ装置との間のチャットセッションを開始させ、
電子商取引ウェブサイトの少なくとも一つのビューを、前記第１のクライアントコンピュータ装置及び前記第２のクライアントコンピュータ装置と共有させ、ここで、第１のクライアントコンピュータ装置及び第２のクライアントコンピュータ装置は、前記電子商取引ウェブサイトの前記少なくとも一つのビューを表示するように構成され、前記少なくとも一つのビューは、少なくとも一つの購入可能な商品を含むものであり、
前記少なくとも一つのビューに含まれる少なくとも一つの購入可能な商品に対する購入トランザクションを開始させ、
前記購入トランザクションに対する支払い情報を受信させ、並びに
前記支払い情報に基づいて前記購入トランザクションを完了させる、
少なくとも一つの不揮発性のコンピュータ読み出し可能記憶媒体。
【請求項２０】
前記支払い情報は、第１の支払い情報及び第２の支払い情報を含み、前記コンピュータ実行可能命令は、前記プロセッサに、さらに、
前記電子商取引ウェブサイトから、前記第１の参加者によって開始された前記購入トランザクションに対する合計購入金額を受信させ、
安全支払いシステムから、前記第１の参加者が第１の金額を支払ったという前記第１の支払い情報を受信させ、ここで、前記第１の金額は前記合計購入金額より小さいものであり、
前記第１の金額が合計購入価格金額より小さいことを判断させ、
前記第１の金額と合計購入価格との間の差分を計算させ、
前記第１のクライアントコンピュータ装置及び前記第２のクライアントコンピュータ装置に、前記計算された差分を送信させ、
前記安全支払いシステムから、前記第２の参加者が第２の金額を支払ったという第２の支払い情報を受信させ、
前記第２の支払い情報に基づいて、前記第２の金額が前記計算された差分と等しいことを判断させ、並びに
前記判断に基づいて、前記購入トランザクションを完了させる、
請求項１９に記載のコンピュータ読み出し可能記憶媒体。
【発明の詳細な説明】
【技術分野】
【０００１】
本願は、２０１４年８月８日に出願された米国仮出願第６２／０３５，１０６号の利益を主張するものであり、その全体を参照することによって本明細書に組み込まれる。
【０００２】
本発明は、概して、電子グループチャット、さらに具体的に言うと、電子商取引セッションの間の電子グループチャットを管理するためのコンピュータ実装方法、及びシステムに関する。
【背景技術】
【０００３】
様々なタイプの通信ツールは、ユーザがネットワーク（例えば、インターネット、イントラネット等）を通じて通信することを可能にするために発展してきた。一つのよく知られたタイプの通信ツールは、（時にはインスタントメッセージング又はＩＭとも称される）電子チャットである。チャットは、ユーザがネットワークを通じてリアルタイムに通信することを可能にする。（チャットクライアントと称される）クライアントプログラムは、通常、チャット通信に参加することに用いられる。ユーザは、通常、チャットクライアントにテキストを打ち込んで、打ち込まれたテキストは、チャットサービスによって、通信中（例えば、同じチャットルーム内）の各ユーザのチャットクライアントに伝えられる。チャット通信は、二人のユーザ、複数のユーザ、及び／又はグループのユーザの間での通信であり得、二人のユーザ、複数のユーザ、及び／又はグループのユーザにのみ見え得る。既知のチャット通信システムは、ユーザがイメージ、アニメーション、音、及びリンクをウェブサイトへ送信することも可能にする。
【発明の概要】
【発明が解決しようとする課題】
【０００４】
複数の個人が電子商取引トランザクションを完了するために資金を負担するときには、通常、一個人が、トランザクションを完了するために彼又は彼女の支払いカードを用いて、合計購入金額を支払う。前記一個人は、他の個人のそれぞれから合計購入金額の一部、又は負担分を集める。多くの場合、合計購入金額の一部のそれぞれは、個人がクレジットカードを用いて資金を移動することは難しいので、チェック又は現金の形式で集められる。トランザクションの完了と合計購入金額の一部のすべてが集められるときとの間には、遅延が存在することもあり得る。
【課題を解決するための手段】
【０００５】
一つの実施形態において、電子商取引セッションの間のグループチャットを管理するためのコンピュータで実行する方法が提供される。方法は、メモリと通信する電子商取引チャットサーバを用いる。方法は、電子商取引チャットサーバによって、少なくとも、第１の参加者と関連する第１のクライアントコンピュータ装置と、第２の参加者と関連する第２のクライアントコンピュータ装置との間のチャットセッションを開始するステップと、電子商取引チャットサーバによって、電子商取引ウェブサイトの少なくとも一つのビューを、第１のクライアントコンピュータ装置及び第２のクライアントコンピュータ装置と共有するステップとを含む。第１のクライアントコンピュータ装置及び第２のクライアントコンピュータ装置は、電子商取引ウェブサイトの少なくとも一つのビューを表示するように構成される。少なくとも一つのビューは、少なくとも一つの購入可能な商品を含む。方法は、電子商取引チャットサーバによって、少なくとも一つのビューに含まれる少なくとも一つの購入可能な商品に対する購入トランザクションを開始するステップと、購入トランザクションに対する支払い情報を受信するステップと、支払い情報に基づいて購入トランザクションを完了するステップとをさらに含む。
【０００６】
別の実施形態において、電子商取引セッションの間のグループチャットを管理するための電子商取引チャットサーバが提供される。電子商取引チャットサーバは、一つ又はそれ以上のメモリ装置と通信上結合される一つ又はそれ以上のプロセッサを含む。電子商取引チャットサーバは、少なくとも、第１の参加者と関連する第１のクライアントコンピュータ装置と、第２の参加者と関連する第２のクライアントコンピュータ装置との間のチャットセッションを開始し、電子商取引ウェブサイトの少なくとも一つのビューを、第１のクライアントコンピュータ装置及び第２のクライアントコンピュータ装置と共有するように構成される。第１のクライアントコンピュータ装置及び第２のクライアントコンピュータ装置は、電子商取引ウェブサイトの少なくとも一つのビューを表示するように構成される。少なくとも一つのビューは、少なくとも一つの購入可能な商品を含む。電子商取引チャットサーバは、少なくとも一つのビューに含まれる少なくとも一つの購入可能な商品に対する購入トランザクションを開始し、購入トランザクションに対する支払い情報を受け取り、及び支払い情報に基づいて購入トランザクションを完了するようにも構成される。
【０００７】
さらに別の実施形態において、コンピュータ実行可能命令がそのうえに組み込まれた、少なくとも一つの不揮発性のコンピュータ読み出し可能記憶媒体が提供される。少なくとも一つのメモリ装置と結合される少なくとも一つのプロセッサを有する電子商取引チャットサーバによって実行されるときに、コンピュータ実行可能命令は、プロセッサに、第１の参加者と関連する第１のクライアントコンピュータ装置と、第２の参加者と関連する第２のクライアントコンピュータ装置との間のチャットセッションを開始させ、電子商取引ウェブサイトの少なくとも一つのビューを第１のクライアントコンピュータ装置及び第２のクライアントコンピュータ装置と共有させる。第１のクライアントコンピュータ装置及び第２のクライアントコンピュータ装置は、電子商取引ウェブサイトの少なくとも一つのビューを表示するように構成される。少なくとも一つのビューは、少なくとも一つの購入可能な商品を含む。コンピュータ実行可能命令は、また、プロセッサに、少なくとも一つのビューに含まれる少なくとも一つの購入可能な商品に対する購入トランザクションを開始させ、購入トランザクションに対する支払い情報を受け取らせ、及び支払い情報に基づいて購入トランザクションを完了させる。図１から図８は、本明細書に記載の方法及びシステムの一例の実施形態を示す。
【図面の簡単な説明】
【０００８】
【図１】図１は、マーチャント及びカード発行者が一対一の特別な関係を有する必要がない、通常のカード支払いトランザクションを可能にするための一例の複数パーティのトランザクションカード産業システムを説明する概略図である。
【図２】図２は、本開示の一例の実施形態に係る、マーチャントを評価するために用いられる一例のコンピュータシステムの簡略化されたブロックダイアグラムである。
【図３】図３は、本開示の一つの実施形態に係る、図２に示すクライアントコンピュータ装置の一例の構成を説明する。
【図４】図４は、本開示の一つの実施形態に係る、図２に示すサーバシステムの一例の構成を説明する。
【図５】図５は、本開示の一つの実施形態に係る、図２に示すシステムを用いて、電子商取引ウェブサイトをナビゲートしている間に、チャットセッション及び支払いトランザクションを管理するプロセスの一例を説明するフローチャートである。
【図６】図６は、本開示の一つの実施形態に係る、図２に示すシステムを用いて、電子商取引ウェブサイトをナビゲートしている間に、チャットセッションを開始し、管理するプロセスの一例を説明するフローチャートである。
【図７】図７は、本開示の一つの実施形態に係る、図２に示すシステムを用いて、電子商取引ウェブサイトにおける支払いトランザクションの代金を支払うための、複数のカードホルダから分担金を受け取ることを管理するプロセスの一例を説明するフローチャートである。
【図８】図８は、図２に示すシステムに用いられ得る一つ又はそれ以上の例のコンピュータ装置のコンポーネントのダイアグラムである。
【発明を実施するための形態】
【０００９】
以下の詳細な説明は、例示の目的で本開示の実施形態を説明するものであり、それらに限定されるものではない。本説明は、当業者が本開示を製造し、利用することを明確に可能にし、何が本開示を実施するベストモードであると現状考えられているかを含んで、本開示の、いくつかの実施形態、適応、変形、代替、及び利用を説明する。本開示は、一例の実施形態、すなわち電子商取引セッションの間の複数の電子グループチャットを管理するためのシステム及び方法に適用されるように説明される。さらに具体的に言うと、本開示は、複数の参加者の間のチャット通信を管理し、複数の参加者のための電子商取引ウェブサイトのナビゲーションをガイドし、及び電子商取引ウェブサイトのための支払いトランザクションを処理するように構成された電子商取引チャットサーバであって、複数の参加者のそれぞれが電子商取引ウェブサイトと関連するマーチャントに合計トランザクション金額の一部を支払うことができる、電子商取引チャットサーバを、説明する。
【００１０】
いくつかの実施形態において、電子商取引チャットサーバは、電子商取引チャットサーバが、複数のクライアントコンピュータ装置間のチャットセッションの間に、複数のクライアントコンピュータ装置の表示を制御することを可能にする、複数のクライアントコンピュータ装置上のクライアントチャットアプリケーションを制御する。別の実施形態において、電子商取引チャットサーバは、命令をチャットセッションに参加するクライアントコンピュータ装置に送信し、複数のクライアントコンピュータ装置上のチャットプログラムは、複数のチャットの参加者に示す表示を駆動する。いくつかの実施形態において、チャットプログラムは、それらに限定されるものではないが、ブラウザプラグイン、電子商取引ウェブサイトに統合されるチャットアプリケーション、電子商取引ウェブサイトを安全支払いシステム（ＳＰＳ）と接続するＡＰＩ、及び本明細書に記載するステップを実行できるその他のプログラムであってもよい。
【００１１】
一例の実施形態において、第１の参加者は、第１のクライアントコンピュータ装置を用いて電子商取引ウェブサイトを表示する。電子商取引ウェブサイトは、マーチャントと関連し、ユーザが製品及びサービス等の商品をオンラインで購入することを可能にし、支払いポータルを介してそれらの製品及びサービスに対する支払いを受け取る。電子商取引チャットサーバは、チャットセッションのための、電子商取引ウェブサイトへのリンク及び第２の参加者に対する参加者識別子を含む、第１の参加者からのチャットセッションの開始要求を受け取る。電子商取引チャットサーバは、チャットセッションに参加するための招待状を、第２の参加者と関連する第２のクライアントコンピュータ装置を介して第２の参加者に送信する。いくつかの実施形態において、招待状はチャットセッションへのリンクとともにテキストメッセージを介して送信される。他の実施形態において、招待状は電子商取引チャットサーバを通して、一つ又はそれ以上のメッセージを介して送信され、このとき、第２の参加者はすでに別のチャットセッションにログインしている。電子商取引チャットサーバが第２の参加者から招待状受諾メッセージを受け取るときに、電子商取引チャットサーバは、第１の参加者と第２の参加者との間でチャットセッションを開始する。一例の実施形態において、電子商取引チャットサーバは、テキスト及びイメージが第１のクライアントコンピュータ装置と第２のクライアントコンピュータ装置との間で送信されることを可能にし、このとき、テキスト及びイメージは、チャットウィンドウと関連する第１のクライアントコンピュータ装置及び第２のクライアントコンピュータ装置上に表示される。
【００１２】
一例の実施形態において、第１の参加者は、チャットセッションのリーダである。電子商取引チャットサーバは、第１のクライアントコンピュータ装置から、第１のクライアントコンピュータ装置上に現在表示されている、電子商取引ウェブサイトの（スクリーンとしても知られる）ビューを読み出す。電子商取引チャットサーバは、読み出されたビューを、第２のクライアントコンピュータ装置上に表示する。さらに具体的に言うと、電子商取引チャットサーバは、スクリーン上に表示されているビューについて第１のクライアントコンピュータ装置に問い合わせを行い、第２のクライアントコンピュータ装置に、同一のビューを表示するために、命令を送信する。
【００１３】
第１の参加者が第１のクライアントコンピュータ装置上に表示されている電子商取引ウェブサイトのビューを変更するときに、電子商取引チャットサーバは、第１のクライアントコンピュータ装置上に現在表示されているビューを読み出し、第２のクライアントコンピュータ装置上に当該ビューを表示する。一例の実施形態において、電子商取引ウェブサイトのビューを表示するために、電子商取引チャットサーバは、第１のクライアントコンピュータ装置上に表示されているのと同じ位置に、第２のクライアントコンピュータ装置上のブラウザ内に電子商取引ウェブサイトをオープンする。
【００１４】
一例の実施形態において、電子商取引チャットサーバは、第２のクライアントコンピュータ装置上のウェブサイトページを待ち行列に入れて、第１のクライアントコンピュータ装置上のウェブページ内の同じ位置に示す。例えば、第１の参加者が製品の説明を立ち上げるために電子商取引ウェブサイト上の製品をクリックすると、電子商取引チャットサーバは第２のクライアントコンピュータ装置上に製品の説明を表示する。別の例において、第１の参加者が電子商取引ウェブサイト上でページをスクロールダウンすると、電子商取引チャットサーバは、第２のクライアントコンピュータ装置に指示して、ページがスクロールダウンされているように表示させる。電子商取引チャットサーバは、第１の参加者が、チャットセッションのリーダシップを放棄し、リーダシップを別の参加者に割り当てることを可能にする。電子商取引チャットサーバは、チャットセッションのリーダのビューを表示するように構成される。
【００１５】
別の実施形態において、電子商取引チャットサーバは、第１の参加者が彼又は彼女の現在のビュー及び当該ビューについての情報を共有したいことを示す、第１のクライアントコンピュータ装置からの信号を受け取るように構成される。電子商取引チャットサーバは、第１の参加者が彼又は彼女の表示を共有したいことを提示するメッセージを、チャットウィンドウ内に表示させる。第２の参加者が同意するときに、電子商取引チャットサーバは、ビューを第２のクライアントコンピュータ装置上に表示させる。この実施形態において、電子商取引チャットサーバは、どちらかの参加者のビューを他の参加者と共有することができる。
【００１６】
さらなる実施形態において、第１の参加者は、電子商取引チャットサーバに商品の画像を送信する。電子商取引チャットサーバは、画像から商品を特定する。その後に、電子商取引チャットサーバは、第２のクライアントコンピュータ装置を介して、第２の参加者に電子商取引ウェブサイト内の商品のビューを送信する。いくつかの実施形態において、第１の参加者は、イメージとともに参加者識別子を送信し、電子商取引チャットサーバは、第１の参加者と第２の参加者との間にチャットセッションをオープンする。別の実施形態において、第１の参加者がイメージを送信するときに、チャットセッションは、既に存在している。
【００１７】
さらに別の実施形態において、第１の参加者は、カタログ又は他のソースから電子商取引チャットサーバに商品識別子を送信する。この実施形態において、電子商取引チャットサーバは、電子商取引ウェブサイト内の商品のビューを判断し、第２のクライアントコンピュータ装置を介して第２の参加者に送信する。
【００１８】
上記説明は第１の参加者及び第２の参加者を説明するのみであるが、電子商取引チャットサーバは、複数の参加者がチャットセッションに参加することを可能にする。電子商取引チャットサーバは、チャットセッションをリードしている参加者から、クライアントコンピュータ装置からのビューを読み出し、当該参加者のビューを他の参加者と関連するクライアントコンピュータ装置上に表示させる。
【００１９】
一例の実施形態において、電子商取引チャットサーバは、電子商取引ウェブサイト及び安全支払いシステム（ＳＰＳ）と通信する。チャットセッションに参加しているときに、電子商取引ウェブサイトは、チャットの参加者の少なくとも一人が、購入のために製品を電子ショッピングカート内に置くことを可能にする。参加者がトランザクションの代金を支払うことを決定するときに、参加者の一人は、電子商取引ウェブサイトに信号を送信する。電子商取引チャットサーバは、電子商取引ウェブサイトから合計購入金額を受け取り、チャットウィンドウに合計購入金額を表示する。
【００２０】
ＳＰＳは、第１の支払われた金額を含む、第１の参加者からの支払い情報を受け取る。電子商取引チャットサーバは、ＳＰＳから、第１の支払われた金額の指示を受け取り、チャットウィンドウ内に、第１の参加者が第１の金額を支払ったことを示すメッセージを表示する。電子商取引チャットサーバは、チャットウィンドウ内に、合計の支払われた金額と合計購入金額との間の差分を表示する。電子商取引チャットサーバが参加者の一人から追加の支払われた金額の指示を受け取るときに、電子商取引チャットサーバは、参加者が追加の金額を支払ったことを表示する。例えば、チャットセッションに４人の参加者がいれば、４人の参加者のそれぞれは、合計購入金額の４分の１を負担してもよい。電子商取引チャットサーバは、各追加の支払われた金額を合計の支払われた金額に追加する、新しい、合計の支払われた金額を合計購入金額と対比する。合計の支払われた金額が合計購入金額より小さいならば、その後に、電子商取引チャットサーバは、合計の支払われた金額及び差分をチャットウィンドウ内に表示する、追加の支払いを待つ。合計の支払われた金額が合計購入価格と等しければ、電子商取引チャットサーバは、ＳＰＳから、合計の支払われた金額に対する資金を読み出す。電子商取引チャットサーバは、支払いトランザクションを完了し、電子商取引ウェブサイトに資金を移動して、支払いトランザクションを完了させる。
【００２１】
別の実施形態において、ＳＰＳは、分担金額を第１の参加者に移動する、他の参加者からの支払い情報を受け取る。分担金額は、支払いトランザクションと関連する商品の購入に対する他の参加者の分担金を表す。第１の参加者と関連するアカウントは、分担金額を受け取る。第１の参加者は、支払いカード又は資金の他のソース（例えば、銀行のアカウント）を用いて電子商取引ウェブサイト上で支払いトランザクションを完了する。いくつかの実施形態において、第１の参加者は、支払いトランザクションを完了し、完了したトランザクションに対する他の複数の参加者からの分担金を受け取る。
【００２２】
本明細書に記載する方法及びシステムは、コンピュータソフトウェア、ファームウェア、ハードウェア、又はそれらの任意の組合せ若しくはサブセットを含むコンピュータのプログラミング又はエンジニアリング技術を用いて実装されてもよい。上記開示したように、先行システムに関する少なくとも一つの技術的課題は、異なる場所の複数の参加者が電子商取引トランザクションに参加できるようにすることである。本明細書に記載するシステム及び方法は、当該技術的課題に対処する。本明細書に記載するシステム及びプロセスの技術的効果は、以下の複数のステップの少なくとも一つを実行することによって達成される。
（ａ）電子商取引チャットサーバによって、少なくとも、第１の参加者と関連する第１のクライアントコンピュータ装置と、第２の参加者と関連する第２のクライアントコンピュータ装置との間のチャットセッションを開始するステップであって、
（ｉ）前記第１のクライアントコンピュータ装置から、電子商取引ウェブサイトの指示、及び第２の参加者識別子を含むチャットセッションの開始要求を受け取るステップと、
（ｉｉ）前記第２の参加者識別子と関連する前記第２のクライアントコンピュータ装置に、前記チャットセッションへの招待状を送信するステップと、
（ｉｉｉ）前記第２のクライアントコンピュータ装置から、招待状受諾メッセージを受け取るステップと、
（ｉｖ）前記第２のクライアントコンピュータ装置に、前記電子商取引ウェブサイトの指示を送信するステップと、
（ｖ）前記第１のクライアントコンピュータ装置と、前記第２のクライアントコンピュータ装置との間の前記チャットセッションを開始するステップと、
によってチャットセッションを開始するステップ。
（ｂ）前記電子商取引チャットサーバによって、前記電子商取引ウェブサイトの少なくとも一つのビューを前記第１のクライアントコンピュータ装置及び前記第２のクライアントコンピュータ装置と共有するステップ。ここで、前記第１のクライアントコンピュータ装置及び前記第２のクライアントコンピュータ装置は、前記電子商取引ウェブサイトの前記少なくとも一つのビューを表示するように構成され、前記少なくとも一つのビューは、少なくとも一つの購入可能な商品を含むものである。
（ｃ）前記第１のクライアントコンピュータ装置から、前記電子商取引ウェブサイトのビューを受け取るステップ。
（ｄ）前記第２のクライアントコンピュータ装置に、前記電子商取引ウェブサイトのビューを送信するステップ。ここで、前記第２のクライアントコンピュータ装置は、前記電子商取引ウェブサイトのビューを表示するように構成されるものである。
（ｅ）前記第１のクライアントコンピュータ装置から、前記電子商取引ウェブサイトの更新されたビューを受け取るステップ。
（ｆ）前記第２のクライアントコンピュータ装置に、前記電子商取引ウェブサイトの更新されたビューを送信するステップ。ここで、前記第２のクライアントコンピュータ装置は、前記電子商取引ウェブサイトの更新されたビューを表示するように構成されるものである。
（ｇ）前記電子商取引チャットサーバによって、前記少なくとも一つのビューに含まれる前記少なくとも一つの購入可能な商品のための購入トランザクションを開始するステップ。
（ｈ）前記購入トランザクションのための支払い情報を受け取るステップ。前記電子商取引ウェブサイトから、前記第１の参加者によって開始された購入トランザクションに対する合計購入金額を受け取るステップ。
（ｉ）安全支払いシステムから、前記第１の参加者が第１の金額を支払ったという第１の支払い情報を受け取るステップ。ここで、前記第１の金額は、前記合計購入金額よりも小さいものである。
（ｊ）前記第１の金額が合計購入価格金額よりも小さいことを判断するステップ。
（ｋ）前記第１の金額と前記合計購入価格との間の差分を計算するステップ。
（ｌ）前記第１のクライアントコンピュータ装置、及び前記第２のクライアントコンピュータ装置に、前記計算された差分を送信するステップ。
（ｍ）前記安全支払いシステムから、前記第２の参加者が第２の金額を支払ったという第２の支払い情報を受け取るステップ。
（ｎ）前記第２の支払い情報に基づいて、前記第２の金額が、計算された差分と等しいことを判断するステップ。
（ｏ）前記判断に基づいて、前記購入トランザクションを完了するステップ。
結果として得られる技術的効果は、複数の参加者がチャットセッションを介して同じ電子商取引トランザクションに参加してもよいことである。
【００２３】
本明細書に用いるように、用語「トランザクションカード」、「金融トランザクションカード」、及び「支払いカード」は、クレジットカード、デビットカード、プリペイドカード、チャージカード、メンバシップカード、プロモーショナルカード、フリークエントフライヤカード、識別カード、ギフトカード、並びに／又は携帯電話、スマートフォン、携帯情報端末（ＰＤＡｓ）、キーフォブ及び／若しくはコンピュータ等の支払いアカウント情報を保持し得るその他の装置等の任意の適切なトランザクションカードを言う。各タイプのトランザクションカードは、トランザクションを実行することに対する支払いの方法として用いられ得る。
【００２４】
一つの実施形態において、コンピュータプログラムは提供され、前記プログラムはコンピュータ読み出し可能媒体に組み込まれる。一例の実施形態において、システムは、サーバコンピュータへの接続を要求することなく単独のコンピュータシステム上で実行される。さらなる例の実施形態において、システムはウィンドウズ（登録商標）（Ｗｉｎｄｏｗｓ）環境で実行されている（ウィンドウズはワシントン州レドモンドのマイクロソフトコーポレーション（Ｍｉｃｒｏｓｏｆｔ  Ｃｏｒｐｏｒａｔｉｏｎ）の登録商標である）。さらに別の実施形態において、システムは、メインフレーム環境及びユニックス（登録商標）（ＵＮＩＸ）サーバ環境で実行される（ユニックスはイギリスバークシャー州レディングに位置するエックス／オープンカンパニーリミテッド（Ｘ／Ｏｐｅｎ  Ｃｏｍｐａｎｙ  Ｌｉｍｉｔｅｄ）の登録商標である）。さらなる実施形態において、システムはアイオーエス（登録商標）（ｉＯＳ）環境で実行される（アイオーエスはカリフォルニア州サンノゼに位置するシスコシステムズインク（Ｃｉｓｃｏ  Ｓｙｓｔｅｍｓ，  Ｉｎｃ．）の登録商標である。）。その上さらなる実施形態において、システムはマックオーエス（登録商標）（Ｍａｃ  ＯＳ）環境で実行される（マックオーエスはカリフォルニア州クパーチノに位置するアップルインク（Ａｐｐｌｅ  Ｉｎｃ．）の登録商標である。）。アプリケーションは適応性があり、任意の主要な機能をそこなうことなく、様々な異なる環境で実行されるように設計される。いくつかの実施形態において、システムは、複数のコンピュータ装置の間に分散された複数のコンポーネントを含む。一つ又はそれ以上のコンポーネントは、コンピュータ読み出し可能媒体に組み込まれるコンピュータ実行可能命令の形式である。システム及びプロセスは、本明細書に記載の特定の実施形態に限定されるものではない。さらに、各システム及び各プロセスのコンポーネントは、本明細書に記載する他のコンポーネント及びプロセスから自立して、及び別々に実行され得る。各コンポーネント及びプロセスは、他のアセンブリパッケージ及びプロセスと組み合わせて用いられてもよい。
【００２５】
一つの実施形態において、コンピュータプログラムは提供され、プログラムはコンピュータ読み出し可能媒体に組み込まれ、管理のためのクライアントユーザインタフェースのフロントエンド、並びに標準ユーザ入力及びレポートのためのウェブインタフェースによりストラクチャードクエリランゲージ（ＳＱＬ）を利用する。別の実施形態において、システムはウェブを利用可能であり、事業体イントラネットにおいて実行される。さらに別の実施形態において、システムは、インターネットを介して、事業体のファイヤウォールの外部で、認証されたアクセス権を有する個人によって、全体にアクセスされる。さらなる実施形態において、システムは、ウィンドウズ環境で実行されている（ウィンドウズはワシントン州レドモンドのマイクロソフトコーポレーションの登録商標である）。アプリケーションは適応性があり、任意の主要な機能をそこなうことなく、様々な異なる環境で実行されるように設計される。
【００２６】
本明細書に用いられるように、単数で記載され、単語「ａ」又は「ａｎ」を前に置かれるエレメント又はステップは、そのような除外が明確に記載されない限り、複数のエレメント又はステップを除外するものではないものとして理解すべきである。さらに、本開示の「一例の実施形態」又は「一つの実施形態」の参照は、記載される特徴も包含する追加の実施形態の存在を除外するものとして解釈されることを意図していない。
【００２７】
本明細書に用いられるように、用語「データベース」は、データのボディと関係データベース管理システム（ＲＤＢＭＳ）とのいずれか、又は両方を言い得る。データベースは、階層型データベース、関係データベース、フラットファイルデータベース、オブジェクト関係データベース、オブジェクト指向データベース、及びコンピュータシステムにストアされる記録又はデータの、その他の構造化された集合を含んでもよい。上記の例は、例示のみのためであって、従って、なんらかの規定及び／又は用語「データベース」の意味を限定するように意図していない。ＲＤＢＭＳの例は、オラクル（登録商標）データベース（Ｏｒａｃｌｅ  Ｄａｔａｂａｓｅ）、マイエスキューエル（登録商標）（ＭｙＳＱＬ）、アイビーエム（登録商標）ディービー２（ＩＢＭ  ＤＢ２）、マイクロソフト（登録商標）エスキューエルサーバ（Ｍｉｃｒｏｓｏｆｔ  ＳＱＬ  Ｓｅｒｖｅｒ）、サイベース（登録商標）（Ｓｙｂａｓｅ）、及びポストグレエスキューエル（ＰｏｓｔｇｒｅＳＱＬ）を含むが、それらに限定するものではない。しかしながら、任意のデータベースは、本明細書に記載するシステム及び方法を利用可能にするのに用いられてもよい（オラクルはカリフォルニア州レッドウッドショアーズのオラクルコーポレーション（Ｏｒａｃｌｅ  Ｃｏｒｐｏｒａｔｉｏｎ）の登録商標である。アイビーエムはニューヨーク州アーモンクのインターナショナルビジネスマシンズコーポレーション（Ｉｎｔｅｒｎａｔｉｏｎａｌ  Ｂｕｓｉｎｅｓｓ  Ｍａｃｈｉｎｅｓ  Ｃｏｒｐｏｒａｔｉｏｎ）の登録商標である。マイクロソフトはワシントン州レドモンドのマイクロソフトコーポレーションの登録商標である。及びサイベースはカリフォルニア州ダブリンのサイベース（Ｓｙｂａｓｅ）の登録商標である。）。
【００２８】
本明細書に用いられるように、用語「プロセッサ」は、中央処理装置、マイクロプロセッサ、マイクロコントローラ、縮小命令セット回路（ＲＩＳＣ）、特定用途向け集積回路（ＡＳＩＣ）、論理回路、及び本明細書に記載する機能を実行することができるその他の回路又はプロセッサを言い得る。
【００２９】
本明細書に用いられるように、用語「ソフトウェア」及び「ファームウェア」は、置き換え可能であり、ＲＡＭメモリ、ＲＯＭメモリ、ＥＰＲＯＭメモリ、ＥＥＰＲＯＭメモリ、及び不揮発性メモリ（ＮＶＲＡＭ）を含むプロセッサによる実行のためのメモリにストアされる任意のコンピュータプログラムを含む。上記のメモリタイプは例示のみのためであり、従って、コンピュータプログラムの記憶に利用可能なメモリのタイプについて限定するものではない。
【００３０】
図１はマーチャント１２４及びカード発行者１３０が一対一の特別な関係を有する必要がない、通常のカード支払いトランザクションを可能にするための、一例の複数の参加者のトランザクションカード産業システム１２０を説明する概略図である。本明細書に記載する実施形態は、マスターカード（登録商標）インターチェンジネットワーク（ＭａｓｔｅｒＣａｒｄ  ｉｎｔｅｒｃｈａｎｇｅ  ｎｅｔｗｏｒｋ）を用いるクレジットカード支払いシステムなどのトランザクションカードシステムに関し得る。マスターカードインターチェンジネットワークは、マスターカードインターナショナルインコーポレイテッド（登録商標）（ＭａｓｔｅｒＣａｒｄ  Ｉｎｔｅｒｎａｔｉｏｎａｌ  Ｉｎｃｏｒｐｏｒａｔｅｄ）のメンバである金融機関の間における金融トランザクションデータの交換及び資金の決済のための、マスターカードインターナショナルインコーポレイテッド（登録商標）（ＭａｓｔｅｒＣａｒｄ  Ｉｎｔｅｒｎａｔｉｏｎａｌ  Ｉｎｃｏｒｐｏｒａｔｅｄ）によって公表された一連の独自の通信標準である（マスターカードはニューヨーク州パーチェスに位置するマスターカードインターナショナルインコーポレイテッドの登録商標である。）。
【００３１】
代表的なトランザクションカードシステムにおいて、「発行者」と称される金融機関はクレジットカード等のトランザクションカードを、マーチャント１２４からの購入品の支払いを提供するためにトランザクションカードを使用する、消費者又はカードホルダに発行する。トランザクションカードにより支払いを受け入れるために、通常、マーチャント１２４は、金融支払いシステムの一部である金融機関とのアカウントを開設しなければならない。通常、この金融機関は、「マーチャント銀行（ｍｅｒｃｈａｎｔ  ｂａｎｋ）」、「アクワイアリング銀行（ａｃｑｕｉｒｉｎｇ  ｂａｎｋ）」、又は「アクワイアラ（ａｃｑｕｉｒｅｒ）」と称される。カードホルダ１２２がトランザクションカードで購入品の支払いを提供するときに、マーチャント１２４は、購入品の金額に対してマーチャント銀行１２６からの承認を要求する。前記要求は、電話で、又はウェブ若しくは電子商取引ポータルを通じて実行されてもよい。前記要求は、店頭端末の使用を介して実行されてもよく、店頭端末は、トランザクションカード上の磁気ストライプ、チップ、又はエンボス文字からカードホルダ１２２のアカウント情報を読み出し、マーチャント銀行１２６のトランザクション処理コンピュータと電子的に通信する。一方で、マーチャント銀行１２６は、それに代わってトランザクション処理を実行するサードパーティを承認してもよい。この場合において、店頭端末は、サードパーティと通信するように構成される。そのようなサードパーティは、通常、「マーチャントプロセッサ（ｍｅｒｃｈａｎｔ  ｐｒｏｃｅｓｓｏｒ）」、「アクワイアリングプロセッサ（ａｃｑｕｉｒｉｎｇ  ｐｒｏｃｅｓｓｏｒ）」、又は「サードパーティプロセッサ（ｔｈｉｒｄ  ｐａｒｔｙ  ｐｒｏｃｅｓｓｏｒ）」と称される。
【００３２】
インターチェンジネットワーク１２８を用いて、マーチャント銀行１２６のコンピュータ又はマーチャントプロセッサは、発行者銀行１３０のコンピュータと通信し、カードホルダ１２２のアカウント１３２が堅実な状態であるか、及び購入品は、カードホルダ１２２の利用可能額でカバーされるかを判断する。これらの判断に基づいて、承認の要求は拒否され、又は受諾される。前記要求が受諾されると、承認コードはマーチャント１２４に発行される。
【００３３】
承認の要求が受諾されるときに、カードホルダ１２２のアカウント１３２の利用可能額は引き下げられる。マスターカードインターナショナルインコーポレイテッド等の銀行カードアソシエーションは、物品が発送されるまで又はサービスが提供されるまで、マーチャント１２４がトランザクションをチャージし、又は「キャプチャ」することを許可しないという公表された規則を有するので、通常、支払いカードトランザクションに対するチャージは、すぐにカードホルダ１２２のアカウント１３２にポストされない。しかしながら、少なくともいくつかのデビットカードトランザクションに関して、チャージは、トランザクション時にポストされ得る。マーチャント１２４が物品又はサービスを発送又は提供すると、マーチャント１２４は、例えば店頭端末上の適切なデータ入力手順によってトランザクションをキャプチャする。このことは、標準的な小売り購入に対する、日々の認可されたトランザクションのバンドリングを含み得る。トランザクションがキャプチャされる前にカードホルダ１２２がトランザクションをキャンセルすると、「ボイド（ｖｏｉｄ）」が発生する。トランザクションがキャプチャされた後にカードホルダ１２２が物品を返品すると、「クレジット（ｃｒｅｄｉｔ）」が発生する。インターチェンジネットワーク１２８、及び／又は発行者銀行１３０は、マーチャントのカテゴリ、マーチャント識別子、トランザクションを完了した場所、購入の金額、トランザクションの日時等のトランザクションカード情報を（図２に示す）データベース２２０にストアする。
【００３４】
購入された後で、クリアリングプロセスが発生して、マーチャント銀行１２６、インターチェンジネットワーク１２８、及び発行者銀行１３０等の、トランザクションのパーティの間に、購入に関連する追加のトランザクションデータを移動する。さらに具体的に言うと、クリアリングプロセスの間に及び／又は後に、購入の時間、マーチャントの名称、マーチャントのタイプ、購入情報、カードホルダのアカウント情報、トランザクションのタイプ、旅程情報、購入された商品及び／若しくはサービスについての情報、又は／並びに他の適切な情報等の追加のデータは、トランザクションと関連し、トランザクションのパーティの間でトランザクションデータとして送信され、トランザクションのパーティのいずれかによってストアされ得る。典型的な実施形態において、カードホルダ１２２が航空運賃、ホテルの宿泊、及び／又はレンタカー等の旅行を購入すると、少なくとも部分的な旅程情報は、トランザクションデータとしてクリアランスプロセスの間に送信される。インターチェンジネットワーク１２８が旅程情報を受け取ると、インターチェンジネットワーク１２８は、旅程情報をデータベース２２０に送る。
【００３５】
デビットカードトランザクションについて、個人識別番号（ＰＩＮ）の承認の要求が発行者によって認可されると、カードホルダのアカウント１３２は引き下げられる。通常、チャージは、カードホルダのアカウント１３２へ即時にポストされる。その後に、支払いカードアソシエーションは、物品／サービス若しくは情報、又は自動預け払い機（ＡＴＭ）の場合は現金の配布のために、前記認可をアクワイアリング（ａｃｑｕｉｒｉｎｇ）プロセッサに送信する。
【００３６】
トランザクションが承認されクリアされた後に、トランザクションは、マーチャント１２４、マーチャント銀行１２６、及び発行者銀行１３０の間で決済される。決済は、トランザクションに関連する、マーチャント１２４のアカウント、マーチャント銀行１２６、及び発行者銀行１３０の間の金融データ又は資金の移動を言う。通常、トランザクションは、一まとめに決済される「バッチ（ｂａｔｃｈ）」へキャプチャされ、集められる。さらに具体的に言うと、通常、トランザクションは、発行者銀行１３０とインターチェンジネットワーク１２８との間で、その後に、インターチェンジネットワーク１２８とマーチャント銀行１２６との間で、その後に、マーチャント銀行１２６とマーチャント１２４との間で決済される。
【００３７】
図２は、電子商取引トランザクションの間のグループチャットを管理するために用いられる一例のシステム２００の簡略化されたブロックダイアグラムである。一例の実施形態において、システム２００は、複数の参加者の間でチャット通信を行うために、複数の参加者に対して電子商取引ウェブサイトのナビゲーションをガイドするために、及び複数の参加者に対して電子商取引を実行するために用いられ得る。さらに、システム２００は、電子商取引トランザクションの間のグループチャットセッションを管理するように構成される電子商取引チャットサーバ２１２を含むチャット通信システムである。以下にさらに詳しく示すように、電子商取引チャットサーバ２１２は、複数の参加者の間のチャット通信を管理し、複数の参加者に対して電子商取引ウェブサイトのナビゲーションをガイドし、及び複数の参加者それぞれが（図１に示す）マーチャント１２４に合計トランザクション金額の一部を支払う、電子商取引ウェブサイトに対して支払いトランザクションを処理するように構成される。
【００３８】
一例の実施形態において、クライアントコンピュータ装置２１４は、クライアントコンピュータ装置２１４がインターネットを用いて電子商取引チャットサーバ２１２にアクセスすることを可能にする、ウェブブラウザ又はソフトウェアアプリケーションを含むコンピュータである。すなわち、クライアントコンピュータ装置２１４は、それらに限定されるものではないが、インターネット、ローカルエリアネットワーク（ＬＡＮ）、ワイドエリアネットワーク（ＷＡＮ）、又はインテグレーティドサービスディジタルネットワーク（ＩＳＤＮ）等のネットワーク、ダイアルアップ接続、ディジタルサブスクライバライン（ＤＳＬ）、携帯電話接続、及びケーブルモデムの少なくとも一つを含む多くのインタフェースを介してインターネットと通信上結合される。クライアントコンピュータ装置２１４は、それらに限定されるものではないが、デスクトップコンピュータ、ラップトップコンピュータ、携帯情報端末（ＰＤＡ）、携帯電話、スマートフォン、タブレット、ファブレット、又は他のウェブベースの接続可能な機器を含む、インターネットにアクセスできる任意の装置であってもよい。
【００３９】
データベースサーバ２１６は、データをストアするデータベース２２０と通信上結合される。一つの実施形態において、データベース２２０は、それらのトランザクションに基づく、複数のカードホルダ及びパスからのトランザクション情報を含む。一例の実施形態において、データベース２２０は、電子商取引チャットサーバ２１２から遠隔にストアされる。いくつかの実施形態において、データベース２２０は分散化される。一例の実施形態において、本明細書に記載のように、個人は、電子商取引チャットサーバ２１２にログオンすることによって、クライアントコンピュータ装置２１４を介してデータベース２２０にアクセスできる。
【００４０】
電子商取引チャットサーバ２１２は、クライアントコンピュータ装置２１４と通信上結合される。いくつかの実施形態において、電子商取引チャットサーバ２１２は、支払いシステムと関連し、若しくは支払いシステムの一部であり、又は図１に示す支払いカードシステム支払いネットワーク１２０と通信してもよい。別の実施形態において、電子商取引チャットサーバ２１２はサードパーティと関連し、単純に支払いネットワーク１２０と通信する。いくつかの実施形態において、電子商取引チャットサーバ２１２は電子商取引ウェブサイト２２６と関連しても、又は電子商取引ウェブサイト２２６の一部であってもよい。
【００４１】
安全支払いシステム（ＳＰＳ）２２４は、電子商取引チャットサーバ２１２と通信上結合される。電子商取引チャットサーバ２１２は、クライアントコンピュータ装置２１４がチャットウィンドウを通じてＳＰＳ２２４にアクセスすることを可能にする。一例の実施形態において、ディジタルウォレットとしても知られるＳＰＳ２２４は、（図１に示す）カードホルダ１２２についての支払いカード情報及び発送情報をストアする。ＳＰＳ２２４は、電子商取引ウェブサイト２２６等において、カードホルダ１２２が即時にトランザクションを行うために、このストアされた情報を利用することを可能にする。他の実施形態において、ＳＰＳ２２４は、物品及びサービスの支払いをするために、又は資金を別のアカウントに移動するために、カードホルダ１２２が支払いカード情報を入力することを可能にする、支払い処理ネットワーク１２０のためのポータルである。一例の実施形態において、ＳＰＳ２２４は支払い処理ネットワーク１２０と関連する。他の実施形態において、ＳＰＳ２２４は、（全て、図１に示す）マーチャント銀行１２６、インターチェンジネットワーク１２８、又は発行者銀行１３０の一部である。
【００４２】
一つ又はそれ以上の電子商取引ウェブサイトサーバ２２８は、電子商取引チャットサーバ２１２と通信上結合される。一つ又はそれ以上の電子商取引ウェブサイトサーバ２２８のそれぞれは、少なくとも一つの電子商取引ウェブサイト２２６を含み、マーチャント１２４と関連する。電子商取引ウェブサイト２２６は、電子商取引ウェブサイトサーバ２２８と関連するオンラインの支払いポータル（図示せず）を通じて購入され得る、一つ又はそれ以上のマーチャント１２４の製品及びサービスを表示する。一例の実施形態において、電子商取引ウェブサイトサーバ２２８は、電子商取引チャットサーバ２１２を通じて支払いネットワーク１２０と通信上結合される。他の実施形態において、電子商取引ウェブサイトサーバ２２８は、支払いネットワーク１２０と関連する、又は支払いネットワーク１２０の一部である。
【００４３】
いくつかの実施形態において、電子商取引チャットサーバ２１２は、金融トランザクションインターチェンジネットワーク１２８と関連してもよい。さらに、クライアントコンピュータ装置２１４の少なくとも一つは、トランザクションカードの発行者と関連するコンピュータシステムを含んでもよい。その結果、電子商取引チャットサーバ２１２及びクライアントコンピュータ装置２１４は、インターチェンジネットワークによって処理され、関連する発行者によって発行されるトランザクションカードを利用して、カードホルダが行う購入に関するトランザクションデータを処理するために利用され得る。少なくとも一つのクライアントコンピュータ装置２１４は、インターチェンジネットワーク、発行者、又はマーチャントの少なくとも一つにより登録し、情報にアクセスし、若しくはトランザクションを処理しようとする、ユーザ又はカードホルダと関連してもよい。
【００４４】
図３は、本開示の一つの実施形態に係る、図２に示すクライアントコンピュータ装置２１４の一例の構成を説明する。ユーザコンピュータ装置３０２は、ユーザ３０１によって操作される。ユーザコンピュータ装置３０２は、それに限られるものではないが、（図２に示す）クライアントコンピュータ装置２１４を含んでもよい。ユーザコンピュータ装置３０２は、命令を実行するためのプロセッサ３０５を含む。いくつかの実施形態において、実行可能命令は、メモリ領域３１０にストアされる。プロセッサ３０５は、（例えば、複数コアの構成内に）一つ又はそれ以上の処理ユニットを含んでもよい。メモリ領域３１０は、実行可能命令、及び／又はトランザクションデータ等の情報がストアされ、読み出されることを可能にする、任意の装置である。メモリ領域３１０は、一つ又はそれ以上のコンピュータ読み出し可能媒体を含んでもよい。
【００４５】
ユーザコンピュータ装置３０２は、情報をユーザ３０１に提示するための、少なくとも一つの媒体出力コンポーネント３１５も含む。媒体出力コンポーネント３１５は、情報をユーザ３０１に伝達できる任意のコンポーネントである。いくつかの実施形態において、媒体出力コンポーネント３１５は、ビデオアダプタ及び／又はオーディオアダプタ等の出力アダプタ（図示せず）を含む。出力アダプタは、プロセッサ３０５と動作可能なように結合され、表示装置（例えば、ブラウン管（ＣＲＴ）、液晶ディスプレイ（ＬＣＤ）、発光ダイオード（ＬＥＤ）ディスプレイ、又は「エレクトロニックインク（ｅｌｅｃｔｒｏｎｉｃ  ｉｎｋ）」ディスプレイ）等の出力装置、又はオーディオ出力装置（例えば、スピーカ、又はヘッドフォン）と動作可能なように結合し得る。いくつかの実施形態において、媒体出力コンポーネント３１５は、グラフィカルユーザインタフェース（例えば、ウェブブラウザ、及び／又はクライアントアプリケーション）をユーザ３０１に提示するように構成される。グラフィカルユーザインタフェースは、例えば、商品を表示するための、及び／若しくは商品を購入するためのオンラインストアインタフェース、並びに／又は支払い情報を管理するためのウォレットアプリケーションを含んでもよい。いくつかの実施形態において、ユーザコンピュータ装置３０２は、ユーザ３０１から入力を受け取るための入力装置３２０を含む。ユーザ３０１は、それらに限定されるものではないが、購入する一つ又はそれ以上の商品及び／若しくは購入の要求を選択し、及び／若しくは入力するために、又は信用証明情報及び／若しくは支払い情報にアクセスするために、入力装置３２０を用いてもよい。入力装置３２０は、例えば、キーボード、ポインティング装置、マウス、スタイラス、タッチ検知パネル（例えば、タッチパッド、又はタッチスクリーン）、ジャイロスコープ、加速度計、位置検出器、生体認証機能を有する入力装置、及び／又はオーディオ入力装置を含んでもよい。タッチスクリーン等の単独のコンポーネントは、媒体出力コンポーネント３１５の出力装置と、入力装置３２０との両方として機能してもよい。
【００４６】
ユーザコンピュータ装置３０２は、（図２に示す）サーバシステム２１２等のリモート装置と通信上結合される、通信インタフェース３２５も含んでもよい。通信インタフェース３２５は、例えば、有線の、若しくは無線のネットワークアダプタ、及び／又はモバイルテレコミュニケーションネットワークとともに用いられる無線データトランシーバを含んでもよい。
【００４７】
メモリ領域３１０にストアされるのは、例えば、媒体出力コンポーネント３１５を介してユーザインタフェースをユーザ３０１に提供するための、並びに任意に、入力装置３２０からの入力を受け取って、処理するための、コンピュータ読み出し可能命令である。ユーザインタフェースは、ウェブブラウザ、及び／又はクライアントアプリケーションを含むこともあってよい。ウェブブラウザは、ユーザ３０１等のユーザが、媒体、及び電子商取引チャットサーバ２１２からの、ウェブページ又はウェブサイト上に通常組み込まれる他の情報を表示し、並びに前記媒体及び前記他の情報と相互作用することを可能にする。クライアントアプリケーションは、ユーザ３０１が、例えば電子商取引チャットサーバ２１２と相互作用することを可能にする。例えば、命令はクラウドサービスによってストアされてもよく、命令の実行の出力は媒体出力コンポーネント３１５に送信されてもよい。
【００４８】
プロセッサ３０５は、本開示の態様を実装するコンピュータ実行可能命令を実行する。いくつかの実施形態において、プロセッサ３０５は、コンピュータ実行可能命令を実行することによって、又はそれ以外の方法でプログラムされることによって、特別な目的のマイクロプロセッサに変換される。
【００４９】
図４は、本開示の一つの実施形態に係る、図２に示すサーバシステムの一例の構成を説明する。サーバコンピュータ装置４０１は、それらに限定されるものではないが、（全て、図２に示す）データベースサーバ２１６、電子商取引チャットサーバ２１２、及び電子商取引ウェブサイトサーバ２２８を含んでもよい。サーバコンピュータ装置４０１は、命令を実行するプロセッサ４０５も含む。命令は、メモリ領域４１０にストアされてもよい。プロセッサ４０５は、（例えば、複数コアの構成内に）一つ又はそれ以上の処理ユニットを含んでもよい。
【００５０】
プロセッサ４０５は、サーバコンピュータ装置４０１が、別のサーバコンピュータ装置４０１、又は（図２に示す）クライアントコンピュータ装置２１４等のリモート装置と通信できるように、通信インタフェース４１５と動作可能なように結合される。例えば、通信インタフェース４１５は、図２に説明するように、インターネットを介してクライアントコンピュータ装置２１４から要求を受け取ってもよい。
【００５１】
プロセッサ４０５は、記憶装置４３４とも動作可能なように結合されてもよい。記憶装置４３４は、それに限定されるものではないが、（図２に示す）データベース２２０と関連するデータ等のデータをストアし、及び／又は読み出すのに適合的な、任意のコンピュータ操作されるハードウェアである。いくつかの実施形態において、記憶装置４３４は、サーバコンピュータ装置４０１に統合される。例えば、サーバコンピュータ装置４０１は、記憶装置４３４として一つ又はそれ以上のハードディスクドライブを含んでもよい。他の実施形態において、記憶装置４３４は、サーバコンピュータ装置４０１の外部にあり、複数のサーバコンピュータ装置４０１によってアクセスされてもよい。例えば、記憶装置４３４は、ストレージエリアネットワーク（ＳＡＮ）、ネットワークアタッチドストレージ（ＮＡＳ）システム、並びに／又はレイド（ＲＡＩＤ）構成内のハードディスク及び／若しくはソリッドステートディスク等の複数の記憶ユニットを含んでもよい。
【００５２】
いくつかの実施形態において、プロセッサ４０５は、記憶インタフェース４２０を介して記憶装置４３４と動作可能なように結合される。記憶インタフェース４２０は、プロセッサ４０５に記憶装置４３４へのアクセスを提供できる任意のコンポーネントである。記憶インタフェース４２０は、例えば、アドバンスドテクノロジアタッチメント（ＡＴＡ）アダプタ、シリアルＡＴＡ（ＳＡＴＡ）アダプタ、スモールコンピュータシステムインタフェース（ＳＣＳＩ）アダプタ、ＲＡＩＤコントローラ、ＳＡＮアダプタ、ネットワークアダプタ、及び／又はプロセッサ４０５に記憶装置４３４へのアクセスを提供する任意のコンポーネントを含んでもよい。
【００５３】
プロセッサ４０５は、本開示の態様を実行するためのコンピュータ実行可能命令を実行する。いくつかの実施形態において、プロセッサ４０５は、コンピュータ実行可能命令を実行することによって、又はそれ以外の方法でプログラムされることによって、専用マイクロプロセッサに変換される。例えば、プロセッサ４０５は、図５〜７に説明されるように命令をプログラムされる。
【００５４】
図５は、本開示の一つの実施形態に係る、図２に示すシステム２００を用いて（図２に示す）電子商取引ウェブサイト２２６をナビゲートしている間に、チャットセッション及び支払いトランザクションを管理する一例のプロセス５００を説明するフローチャートである。プロセス５００は、例えば、（図２に示す）電子商取引チャットサーバ２１２である、コンピュータ装置によって実行されてもよい。一例の実施形態において、電子商取引チャットサーバ２１２は、（図２に示す）電子商取引ウェブサイトサーバ２２８及びＳＰＳ２２４と通信する。
【００５５】
いくつかの実施形態において、電子商取引チャットサーバ２１２は、クライアントコンピュータ装置２１４の間のチャットセッションの間に、電子商取引チャットサーバ２１２がクライアントコンピュータ装置２１４の表示を制御することを可能にする、（図２に示す）クライアントコンピュータ装置２１４上のクライアントチャットアプリケーションを制御する。他の実施形態において、電子商取引チャットサーバ２１２は、命令をチャットセッションに参加するクライアントコンピュータ装置２１４に送信し、クライアントコンピュータ装置２１４のチャットプログラムは、チャットの参加者に示す表示を駆動する。いくつかの実施形態において、チャットプログラムは、それらに限定されるものではないが、ブラウザプラグイン、電子商取引ウェブサイトに統合されるチャットアプリケーション、電子商取引ウェブサイトを安全支払いシステム（ＳＰＳ）と接続するＡＰＩ、及び本明細書に記載するステップを実行できるその他のプログラムであってもよい。
【００５６】
一例の実施形態において、第１の参加者は、図２に示すクライアントコンピュータ装置２１４の一つであり得る第１のクライアントコンピュータ装置を用いて、（図２に示す）電子商取引ウェブサイト２２６を表示する。電子商取引ウェブサイト２２６は、（図１に示す）マーチャント１２４と関連し、ユーザが製品及びサービスなどの商品をオンラインで購入することを可能にし、支払いポータルを介してそれらの製品及びサービスの支払いを受け取る。
【００５７】
一例の実施形態において、電子商取引チャットサーバ２１２は、第１の参加者と関連する第１のクライアントコンピュータ装置と、第２の参加者と関連する（クライアントコンピュータ装置２１４の一つでもあり得る）第２のクライアントコンピュータ装置との間のチャットセッションを開始する（５０５）。電子商取引チャットサーバ２１２は、電子商取引ウェブサイト２２６の少なくとも一つのビューを、第１のクライアントコンピュータ装置及び第２のクライアントコンピュータ装置と共有する（５１０）。例えば、第１のクライアントコンピュータ装置は靴ショッピングの電子商取引ウェブサイト２２６を表示している。電子商取引チャットサーバ２１２は、第１のクライアントコンピュータ装置が現在表示している靴ショッピングの電子商取引ウェブサイト２２６のビューに関連する情報を受け取る。電子商取引チャットサーバ２１２は、情報を第２のクライアントコンピュータ装置に送信し、第２のクライアントコンピュータ装置は、第１のクライアントコンピュータ装置が現在表示している靴ショッピングの電子商取引ウェブサイト２２６の同じビューを表示する。電子商取引ウェブサイト２２６は、第１のクライアントコンピュータ装置及び第２のクライアントコンピュータ装置上に表示されるビューの少なくとも一つに含まれる少なくとも一つの購入可能な商品を含む。例えば、靴ショッピングの電子商取引ウェブサイト２２６は、少なくとも一足の購入可能な靴を含む。
【００５８】
電子商取引チャットサーバ２１２は、少なくとも一つの購入可能な商品のための購入トランザクションを開始する（５１５）。購入トランザクションは、購入トランザクションと関連する商品に対する合計金額（又はコスト）を含む。いくつかの実施形態において、購入トランザクションは、チャットセッションに参加しているクライアントコンピュータ装置２１４の一つによって開始される。例えば、チャットの参加者の一人は、電子商取引ウェブサイト２２６において一足の赤い靴をショッピングカートに置き、チェックアウトを選択する。
【００５９】
電子商取引チャットサーバ２１２は、購入トランザクションのための支払い情報を受け取る（５２０）。一例の実施形態において、電子商取引チャットサーバ２１２は、ＳＰＳ２２４からの支払いトランザクションのための支払い情報を受け取る（５２０）。支払い情報は、一つ又はそれ以上の支払い金額を含む。いくつかの実施形態において、複数のチャットの参加者は、トランザクションの合計金額の一部を支払う。一例の実施形態において、各チャットの参加者は、電子商取引チャットサーバ２１２を通して、ＳＰＳ２２４を介して支払いを開始する。電子商取引チャットサーバ２１２が、合計金額が支払われたことを示す支払い情報を受け取ると、電子商取引チャットサーバ２１２は購入トランザクションを完了する（５２５）。一例の実施形態において、電子商取引チャットサーバ２１２は、資金をＳＰＳから電子商取引ウェブサイトサーバ２２８に移動し、購入トランザクションを完了する（５２５）。
【００６０】
図６は、本開示の一つの実施形態に係る、図２に示すシステム２００を用いて、（図２に示す）電子商取引ウェブサイト２２６をナビゲートしている間に、チャットセッションを開始し、管理する一例のプロセス６００を説明するフローチャートである。プロセス６００は、例えば、（図２に示す）電子商取引チャットサーバ２１２であるコンピュータ装置によって実行されてもよい。一例の実施形態において、電子商取引チャットサーバ２１２は、（図２に示す）電子商取引ウェブサイトサーバ２２８及びＳＰＳ２２４と通信する。
【００６１】
一例の実施形態において、第１の参加者は、図２に示すクライアントコンピュータ装置２１４の一つであり得る第１のクライアントコンピュータ装置を用いて、（図２に示す）電子商取引ウェブサイト２２６を表示する。電子商取引ウェブサイト２２６は、（図１に示す）マーチャント１２４と関連し、ユーザが製品及びサービス等の商品をオンラインで購入することを可能にし、支払いポータルを介してそれらの製品及びサービスの支払いを受け取る。
【００６２】
一例の実施形態において、電子商取引チャットサーバ２１２は、チャットセッションのための、電子商取引ウェブサイト２２６へのリンク及び第２の参加者に対する参加者識別子を含む、第１の参加者からのチャットセッションの開始要求を受け取る（６０５）。電子商取引チャットサーバ２１２は、チャットセッションに参加するための招待状を、第２の参加者と関連する（クライアントコンピュータ装置２１４の一つでもあり得る）第２のクライアントコンピュータ装置を介して、第２の参加者に送信する。いくつかの実施形態において、招待状は、チャットセッションへのリンクとともに、テキストメッセージを介して送信される。他の実施形態において、招待状は、電子商取引チャットサーバ２１２を通して、一つ又はそれ以上のメッセージを介して送信されるが、ここで、第２の参加者は、すでに別のチャットセッションにログインしている。電子商取引チャットサーバ２１２が第２の参加者から招待状受諾メッセージを受け取る（６１５）と、電子商取引チャットサーバ２１２は、第１の参加者と第２の参加者との間のチャットセッションを開始する（６２０）。一例の実施形態において、電子商取引チャットサーバ２１２は、テキスト及びイメージが第１のクライアントコンピュータ装置と第２のクライアントコンピュータ装置との間で送信されることを可能にし、ここで、テキスト及びイメージは、チャットウィンドウ内において、第１のクライアントコンピュータ装置及び第２のクライアントコンピュータ装置上に表示される。
【００６３】
一例の実施形態において、第１の参加者は、チャットセッションのリーダである。電子商取引チャットサーバ２１２は、第１のクライアントコンピュータ装置から、第１のクライアントコンピュータ装置上に現在表示されている電子商取引ウェブサイト２２６の（スクリーンとしても知られる）ビューを読み出す（６２５）。電子商取引チャットサーバ２１２は、第２の参加者と関連する第２のクライアントコンピュータ装置上に、読み出されたビューを表示する（６３０）。さらに具体的に言うと、電子商取引チャットサーバ２１２は、スクリーン上に表示されているビューについて第１のクライアントコンピュータ装置に問い合わせを行い、第２のクライアントコンピュータ装置に、同一のビューを表示するための命令を送信する。
【００６４】
第１の参加者が、第１のクライアントコンピュータ装置上に表示されている電子商取引ウェブサイト２２６のビューを変更すると、電子商取引チャットサーバ２１２は、第１のクライアントコンピュータ装置上に現在表示されているビューを読み出し（６３５）、第２のクライアントコンピュータ装置上に当該ビューを表示する（６４０）。一例の実施形態において、電子商取引ウェブサイト２２６のビューを表示するために、電子商取引チャットサーバ２１２は、第１のクライアントコンピュータ装置上に表示されているのと同じ位置に、第２のクライアントコンピュータ装置上のブラウザ内に電子商取引ウェブサイト２２６をオープンする。
【００６５】
一例の実施形態において、電子商取引チャットサーバ２１２は、第２のクライアントコンピュータ装置上のウェブサイトページを待ち行列に入れて、第１のクライアントコンピュータ装置上と同じ、ウェブページ内の位置に示す。例えば、第１の参加者が製品の説明を提示するために電子商取引ウェブサイト２２６上の製品をクリックすると、電子商取引チャットサーバ２１２は、第２のクライアントコンピュータ装置上に製品の説明を表示する。別の例において、第１の参加者が電子商取引ウェブサイト２２６上でページをスクロールダウンすると、電子商取引チャットサーバ２１２は、第２のクライアントコンピュータ装置上に、ページがスクロールダウンされているように表示する。電子商取引チャットサーバ２１２は、第１の参加者がチャットセッションのリーダシップを放棄し、リーダシップを別の参加者に割り当てることを可能にする。電子商取引チャットサーバ２１２は、チャットセッションのリーダのビューを表示するように構成される。
【００６６】
別の実施形態において、電子商取引チャットサーバ２１２は、第１の参加者が彼又は彼女の現在のビュー及び当該ビューについての情報を共有したいことを示す、第１のクライアントコンピュータ装置からの信号を受け取るように構成される。電子商取引チャットサーバ２１２は、第１の参加者が彼又は彼女の表示を共有したいことを提示するメッセージを、チャットウィンドウ内に表示させる。第２の参加者が同意すると、電子商取引チャットサーバ２１２は、ビューを第２のクライアントコンピュータ装置上に表示させる。この実施形態において、電子商取引チャットサーバ２１２は、どちらかの参加者のビューを他の参加者と共有することができる。
【００６７】
さらなる実施形態において、第１の参加者は、電子商取引チャットサーバ２１２に商品の画像を送信する。電子商取引チャットサーバ２１２は、画像から商品を特定する。その後に、電子商取引チャットサーバ２１２は、第２のクライアントコンピュータ装置を介して、電子商取引ウェブサイト２２６内の商品のビューを第２の参加者に送信する。いくつかの実施形態において、第１の参加者は、イメージとともに参加者識別子を送信し、電子商取引チャットサーバ２１２は、第１の参加者と第２の参加者との間にチャットセッションをオープンする。別の実施形態において、第１の参加者がイメージを送信するとき、チャットセッションは既に存在している。
【００６８】
さらに別の実施形態において、第１の参加者は、カタログ又は他のソースから電子商取引チャットサーバ２１２に、商品識別子を送信する。この実施形態において、電子商取引チャットサーバ２１２は、電子商取引ウェブサイト２２６内の商品のビューを判断して、第２のクライアントコンピュータ装置を介して第２の参加者に送信する。
【００６９】
上記説明は第１の参加者及び第２の参加者を説明するのみであるが、電子商取引チャットサーバ２１２は、複数の参加者がチャットセッションに参加することを可能にする。電子商取引チャットサーバ２１２は、チャットセッションをリードしている参加者から、クライアントコンピュータ装置からのビューを読み出し、当該参加者のビューを他の参加者と関連するクライアントコンピュータ装置上に表示させる。
【００７０】
図７は、本開示の一つの実施形態に係る、図２に示すシステム２００を用いて（図２に示す）電子商取引ウェブサイト２２６における支払いトランザクションの代金を支払うための、複数のカードホルダから分担金を受け取ることを管理する一例のプロセス７００を説明するフローチャートである。プロセス７００は、例えば、（図２に示す）電子商取引チャットサーバ２１２である、コンピュータ装置によって実行されてもよい。一例の実施形態において、電子商取引チャットサーバ２１２は、（図２に示す）電子商取引ウェブサイト２２６及びＳＰＳ２２４と通信する。
【００７１】
図５及び図６に示すように、チャットセッションに参加すると、電子商取引ウェブサイト２２６は、チャット内の参加者の少なくとも一人が、購入のために電子ショッピングカート内に製品を置くことを可能にする。参加者がトランザクションの代金を支払うことを決定すると、参加者の一人は、電子商取引ウェブサイト２２６に信号を送信する。電子商取引チャットサーバ２１２は、電子商取引ウェブサイト２２６から合計購入金額を受け取り（７０５）、チャットウィンドウに合計購入金額を表示する（７１０）。
【００７２】
ＳＰＳ２２４は、第１の支払われた金額を含む、第１の参加者からの支払い情報を受け取る。電子商取引チャットサーバ２１２は、ＳＰＳ２２４から、第１の支払われた金額の指示を受け取り（７１５）、チャットウィンドウ内に、第１の参加者が第１の金額を支払ったことを示すメッセージを表示する（７２０）。電子商取引チャットサーバは、チャットウィンドウ内に、合計の支払われた金額と合計購入金額との差分を表示する（７２５）。電子商取引チャットサーバ２１２が参加者の一人から、追加の支払われた金額の指示を受け取る（７３０）と、電子商取引チャットサーバ２１２は、参加者が追加の金額を支払ったことを表示する（７３５）。例えば、チャットセッションに４人の参加者がいれば、４人の参加者のそれぞれは、合計購入金額の４分の１を負担してもよい。電子商取引チャットサーバ２１２は、追加の支払われた金額を合計の支払われた金額に加算して、新しい、合計の支払われた金額を合計購入金額と対比する（７４０）。合計の支払われた金額が合計購入金額より小さいならば、電子商取引チャットサーバ２１２はステップ７２５に戻り、合計の支払われた金額及び合計購入金額をチャットウィンドウ内に表示する（７２５）。合計の支払われた金額が合計購入金額と等しくなると、電子商取引チャットサーバ２１２は、ＳＰＳ２２４から、合計の支払われた金額に対する資金を読み出す（７４５）。電子商取引チャットサーバ２１２は、支払いトランザクションを完了し（７５０）、支払いトランザクションに関して完了するために資金を電子商取引ウェブサイト２２６に移動する。
【００７３】
他の実施形態において、ＳＰＳ２２４は、第１の参加者に分担金額を移動する、他の参加者からの支払い情報を受け取る。分担金額は、支払いトランザクションと関連する商品の購入への他の参加者の分担金を表す。第１の参加者と関連するアカウントは、分担金額を受け取る。第１の参加者は、支払いカード又は資金の他のソース（例えば、銀行のアカウント）を用いて電子商取引ウェブサイト２２６上で支払いトランザクションを完了する。いくつかの実施形態において、第１の参加者は、支払いトランザクションを完了し、完了したトランザクションに対する他の参加者からの分担金を受け取る。
【００７４】
図８は、図２に示すシステム２００に用いられ得る一つ又はそれ以上の例のコンピュータ装置のコンポーネントのダイアグラム８００である。いくつかの実施形態において、コンピュータ装置８１０は、（図２に示す）電子商取引チャットサーバ２１２に類似する。データベース８２０は、コンピュータ装置８１０内部で、特別なタスクを実行する数個の分離するコンポーネントと結合されてもよい。この実施形態において、データベース８２０は、チャットの参加者８２２、支払われた金額８２４、合計購入金額８２６、及び読み出されたビュー８２８を含む。いくつかの実施形態において、データベース８２０は（図２に示す）データベース２２０と類似する。
【００７５】
コンピュータ装置８１０は、データ記憶装置８３０とともに、データベース８２０を含む。コンピュータ装置８１０は、（図５に示す）支払い情報を受け取ること（５２０）、（全て、図６に示す）、チャットセッションの要求を受け取ること（６０５）、招待状を送信すること（６１０）、招待状受諾判断の要求を受け取ること（６１５）、ビューを読み出すこと（６２５）、異なるビューを読み出すこと（６３５）、（全て、図７に示す）、合計購入金額を受け取ること（７０５）、第１の支払われた金額の指示を受け取ること（７１５）、第２の支払われた金額の指示を受け取ること（７３０）、及び資金を読み出すこと（７４５）のための、通信コンポーネント８４０も含む。コンピュータ装置８１０は、（両方を、図５に示す）、チャットセッションを開始すること（５０５）、購入トランザクションを開始すること（５１５）、及び（図５に示す）チャットセッションを開始すること（６２０）のための、開始コンポーネント８４５も含む。コンピュータ装置８１０は、（図５に示す）少なくとも一つのビューを共有すること（５１０）のための、共有コンポーネント８５０をさらに含む。（両方を、図６に示す）ビューを表示すること（６３０）、及び更新されたビューを表示すること（６４０）、（図７に示す）、合計購入金額を表示すること（７１０）、第１の参加者が第１の金額を支払ったことを表示すること（７２０）、合計の支払われた金額と合計購入金額との差分を表示すること（７２５）、及び参加者が追加の金額を支払ったことを表示すること（７３５）のための表示コンポーネント８５５も含まれる。コンピュータ装置８１０は、図７に示すように、合計の支払われた金額を合計購入金額と対比すること（７４０）ための対比コンポーネント８６０をさらに含む。さらに、（図５に示す）購入トランザクションを完了すること（５２５）、及び図７に示すように購入トランザクションを完了すること（７５０）のための、完了コンポーネント８６５が含まれる。処理コンポーネント８７０は、システムと関連するコンピュータ実行可能命令の実行を補助する。
【００７６】
システム及びプロセスは、本明細書に記載する特定の実施形態に限定されるものではない。さらに、各システム及び各プロセスのコンポーネントは、本明細書に記載する他のコンポーネント及びプロセスから、独立して及び分離して実施され得る。各システム及びプロセスは、他のアセンブリパッケージ及びプロセスとも組み合わせて用いられてもよい。
【００７７】
詳細に本開示の態様を説明したが、改良及び変形は、添付する請求項に規定されるように、本開示の態様の範囲から逸脱せずに利用可能であることは明らかである。様々な変更は、本開示の態様の範囲から逸脱せずに、前記の構造物、製品、及び方法で成され、前述の記載に含み及び添付の図面に示す全ての事項は、実例であって、限定する趣旨ではないものとして解釈されることを意図している。
【００７８】
本開示は、個々の特定の実施形態の観点から説明したが、当業者は、本開示が請求項の精神及び範囲内で、改良とともに実施され得ることを認識するであろう。
【００７９】
上述の本願に基づいて理解されるように、本開示の前記実施形態は、コンピュータソフトウェア、ファームウェア、ハードウェア、又はそれらの任意の組合せ若しくはサブセットを含む、コンピュータのプログラミング又はエンジニアリング技術を用いて実施され得る。コンピュータ読み出し可能コードの手段を有する、あらゆる、そのような結果として生じるプログラムも、一つ又はそれ以上のコンピュータ読み出し可能媒体内に組み込まれ、又は提供され得、その結果、本開示の説明される実施形態に係るコンピュータプログラム製品、すなわち、製造品を構成する。一例のコンピュータ読み出し可能媒体は、それらに限定されるものではないが、フラッシュメモリドライブ、ディジタルヴァーサタイルディスク（ＤＶＤ）、コンパクトディスク（ＣＤ）、フィクスド（ハード）ドライブ、ディスケット、光ディスク、磁気テープ、リードオンリメモリ（ＲＯＭ）等の半導体メモリ、及び／又はインターネット若しくは他の通信ネットワーク若しくはリンク等の任意の送信媒体／受け取り媒体であってもよい。例示の目的であり、かつ限定の目的でなく、コンピュータ読み出し可能媒体は、コンピュータ読み出し可能記憶媒体及び通信媒体を含む。コンピュータ読み出し可能記憶媒体は、コンピュータ読み出し可能命令、データ構造、プログラムモジュール、及び他のデータ等の具体的な、不揮発性の、及びストアできる情報である。対照的に、通信媒体は、通常、コンピュータ読み出し可能命令、データ構造、プログラムモジュール、又は搬送波若しくは他の転送メカニズム等の一時的な変調信号内の他のデータを組み込み、任意の情報配信媒体を含む。前記の任意の組合せは、コンピュータ読み出し可能媒体の範囲にも含まれる。コンピュータコードを含む製造品は、一つの媒体から直接的にコードを実行することによって、一つの媒体から別の媒体にコードをコピーすることによって、又はネットワークを通じてコードを送信することによって、構成され、及び／又は用いられ得る。
【００８０】
この記載した説明は、ベストモードを含む実施形態を開示するために、並びに当業者が、任意の装置又はシステムを構成し利用すること及び任意の組み込まれた方法を実行することを含む実施形態を実施することを可能にするためにも、例示を用いる。本開示の特許性のある範囲は、請求項によって規定され、当業者に想到される他の例を含み得る。他の例が、請求項の逐語的な言語と相違しない構造上の要素を有するならば、又は請求項の逐語的な言語と非実質的相違を有する等価な構造上の要素を含むならば、そのような他の例は請求項の範囲内にあることを意図している。
【図１】
2019083069.tif 000003
【図２】
2019083069.tif 000004
【図３】
2019083069.tif 000005
【図４】
2019083069.tif 000006
【図５】
2019083069.tif 000007
【図６】
2019083069.tif 000008
【図７】
2019083069.tif 000009
【図８】
2019083069.tif 000010
【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
電子商取引セッションの間のグループチャットを管理するためのコンピュータで実行する方法であって、前記方法はメモリと通信する電子商取引チャットサーバを用いて実行され、前記方法は、
電子商取引チャットサーバによって、少なくとも、第１の参加者と関連する第１のクライアントコンピュータ装置と、第２の参加者と関連する第２のクライアントコンピュータ装置との間のチャットセッションを開始するステップと、
電子商取引チャットサーバによって、第１のクライアントコンピュータ装置から、電子商取引ウェブサイトの少なくとも一つのビューを受信するステップと、
電子商取引チャットサーバによって、電子商取引ウェブサイトの少なくとも一つのビューを、第２のクライアントコンピュータ装置に送信するステップと、
電子商取引チャットサーバによって、第１のクライアントコンピュータ装置及び第２のクライアントコンピュータ装置は、電子商取引ウェブサイトの少なくとも一つのビューを同時に第１のクライアントコンピュータ装置及び第２のクライアントコンピュータ装置のそれぞれに表示させるステップであって、ここで、前記電子商取引ウェッブサイトの一つのビューは、少なくとも一つの購入可能な商品を含むものである、ステップと、
電子商取引チャットサーバによって、前記電子商取引ウェブサイトの少なくとも一つのビューに含まれる少なくとも一つの購入可能な商品に対する購入トランザクションを開始するステップと、
電子商取引チャットサーバによって、購入トランザクションに対する支払い情報を受信するステップと、
電子商取引チャットサーバによって、支払い情報に基づいて購入トランザクションを完了するステップと、
を含む方法。
【請求項２】
チャットセッションを開始するステップは、さらに、
前記第１のクライアントコンピュータ装置から、電子商取引ウェブサイトの指示及び第２の参加者識別子を含むチャットセッションの開始要求を受信するステップと、
前記第２の参加者識別子と関連する前記第２のクライアントコンピュータ装置に、前記チャットセッションへの招待状を送信するステップと、
前記第２のクライアントコンピュータ装置から、招待状受諾メッセージを受信するステップと、
前記第２のクライアントコンピュータ装置に、前記電子商取引ウェブサイトの前記指示を送信するステップと、
前記第１のクライアントコンピュータ装置と、前記第２のクライアントコンピュータ装置との間の前記チャットセッションを開始するステップと、
を含む請求項１に記載の方法。
【請求項３】
電子商取引ウェブサイトの少なくとも一つのビューを共有するステップは、さらに、
前記第１のクライアントコンピュータ装置から、前記電子商取引ウェブサイトのビューを受信するステップと、
前記第２のクライアントコンピュータ装置に、前記電子商取引ウェブサイトの前記ビューを送信するステップであって、ここで、前記第２のクライアントコンピュータ装置は、前記電子商取引ウェブサイトの前記ビューを表示するように構成されるものである、ステップと、
を含む請求項１に記載の方法。
【請求項４】
前記第１のクライアントコンピュータ装置から、前記電子商取引ウェブサイトの更新されたビューを受信するステップと、
前記第２のクライアントコンピュータ装置に、前記電子商取引ウェブサイトの前記更新されたビューを送信するステップであって、ここで、前記第２のクライアントコンピュータ装置は、前記電子商取引ウェブサイトの前記更新されたビューを表示するように構成されるものである、ステップと、
をさらに含む請求項３に記載の方法。
【請求項５】
電子商取引ウェブサイトの少なくとも一つのビューを共有するステップは、さらに、
前記第１のクライアントコンピュータ装置から、商品を含むイメージを受信するステップと、
前記イメージに基づいて、前記商品を含む前記電子商取引ウェブサイトのビューを判断するステップと、
前記第２のクライアントコンピュータ装置に、前記電子商取引ウェブサイトの前記判断されたビューを送信するステップであって、ここで、前記第２のクライアントコンピュータ装置は、前記電子商取引ウェブサイトの前記判断されたビューを表示するように構成されるものである、ステップと、
を含む請求項１に記載の方法。
【請求項６】
電子商取引ウェブサイトの少なくとも一つのビューを共有するステップは、さらに、
前記第１のクライアントコンピュータ装置から、前記購入可能な商品と関連する商品識別子を受信するステップと、
前記商品識別子と関連する前記購入可能な商品を含む前記電子商取引ウェブサイトのビューを判断するステップと、
前記第２のクライアントコンピュータ装置に、前記電子商取引ウェブサイトの前記ビューを送信するステップと、
を含む請求項１に記載の方法。
【請求項７】
前記支払い情報は、第１の支払い情報及び第２の支払い情報を含み、
前記電子商取引ウェブサイトから、前記第１の参加者によって開始された前記購入トランザクションに対する合計購入金額を受信するステップと、
安全支払いシステムから、前記第１の参加者が第１の金額を支払ったという第１の支払い情報を受信するステップであって、ここで、前記第１の金額は、前記合計購入金額より小さいものである、ステップと、
安全支払いシステムから、前記第２の参加者が第２の金額を支払ったという第２の支払い情報を受信するステップと、
第２の支払い情報に基づいて前記購入トランザクションを完了するステップと、
をさらに含む請求項１に記載の方法。
【請求項８】
前記第１の金額が合計購入金額より小さいことを判断するステップと、
前記第１の金額と合計購入金額との間の差分を計算するステップと、
前記第１のクライアントコンピュータ装置、及び前記第２のクライアントコンピュータ装置に、前記計算された差分を送信するステップと、
をさらに含む請求項７に記載の方法。
【請求項９】
前記第２の支払い情報に基づいて、前記第２の金額が前記計算された差分と等しいことを判断するステップと、
前記判断に基づいて、前記購入トランザクションを完了するステップと、
をさらに含む請求項８に記載の方法。
【請求項１０】
電子商取引セッションの間のグループチャットを管理するための電子商取引チャットサーバであって、前記電子商取引チャットサーバは、一つ又はそれ以上のメモリ装置と通信上結合される一つ又はそれ以上のプロセッサを含み、前記電子商取引チャットサーバは、
少なくとも、第１の参加者と関連する第１のクライアントコンピュータ装置と、第２の参加者と関連する第２のクライアントコンピュータ装置との間のチャットセッションを開始し、
第１のクライアントコンピュータ装置から、電子商取引ウェブサイトの少なくとも一つのビューを受信し、
電子商取引ウェブサイトの少なくとも一つのビューを、第２のクライアントコンピュータ装置に送信し、
第１のクライアントコンピュータ装置及び第２のクライアントコンピュータ装置は、第１のクライアントコンピュータ装置及び第２のクライアントコンピュータ装置のそれぞれに、電子商取引ウェブサイトの少なくとも一つのビューを同時に表示させ、ここで、前記電子商取引ウェブサイトの少なくとも一つのビューは、少なくとも一つの購入可能な商品を含むものであり、
前記電子商取引ウェブサイトの少なくとも一つのビューに含まれる前記少なくとも一つの購入可能な商品に対する購入トランザクションを開始し、
前記購入トランザクションに対する支払い情報を受信し、並びに
前記支払い情報に基づいて前記購入トランザクションを完了する、
ように構成される電子商取引チャットサーバ。
【請求項１１】
前記電子商取引チャットサーバは、さらに、
前記第１のクライアントコンピュータ装置から、電子商取引ウェブサイトの指示、及び第２の参加者識別子を含む、チャットセッションの開始要求を受信し、
前記第２の参加者識別子と関連する前記第２のクライアントコンピュータ装置に、前記チャットセッションへの招待状を送信し、
前記第２のクライアントコンピュータ装置から、招待状受諾メッセージを受信し、
前記電子商取引ウェブサイトの前記指示を、前記第２のクライアントコンピュータ装置に送信し、及び
前記第１のクライアントコンピュータ装置と前記第２のクライアントコンピュータ装置との間の前記チャットセッションを開始する、
ように構成される請求項１０に記載の電子商取引チャットサーバ。
【請求項１２】
前記電子商取引チャットサーバは、さらに、
前記第１のクライアントコンピュータ装置から、前記電子商取引ウェブサイトのビューを受信し、及び
前記第２のクライアントコンピュータ装置に、前記電子商取引ウェブサイトの前記ビューを送信し、ここで、前記第２のクライアントコンピュータ装置は、前記電子商取引ウェブサイトの前記ビューを表示するように構成されるものである、
ように構成される請求項１０に記載の電子商取引チャットサーバ。
【請求項１３】
前記電子商取引チャットサーバは、さらに、
前記第１のクライアントコンピュータ装置から、前記電子商取引ウェブサイトの更新されたビューを受信し、及び
前記第２のクライアントコンピュータ装置に、前記電子商取引ウェブサイトの前記更新されたビューを送信し、ここで、前記第２のクライアントコンピュータ装置は、前記電子商取引ウェブサイトの前記更新されたビューを表示するように構成されるものである、
ように構成される請求項１０に記載の電子商取引チャットサーバ。
【請求項１４】
前記電子商取引チャットサーバは、さらに、
前記第１のクライアントコンピュータ装置から、商品を含むイメージを受信し、
前記イメージに基づいて、前記商品を含む前記電子商取引ウェブサイトのビューを判断し、及び
前記第２のクライアントコンピュータ装置に、前記電子商取引ウェブサイトの前記判断されたビューを送信し、ここで、前記第２のクライアントコンピュータ装置は、前記電子商取引ウェブサイトの判断されたビューを表示するように構成されるものである、
ように構成される請求項１０に記載の電子商取引チャットサーバ。
【請求項１５】
前記電子商取引チャットサーバは、さらに、
前記第１のクライアントコンピュータ装置から、前記購入可能な商品と関連する商品識別子を受信し、
前記商品識別子と関連する前記購入可能な商品を含む前記電子商取引ウェブサイトのビューを判断し、及び
前記第２のクライアントコンピュータ装置に、前記電子商取引ウェブサイトの前記ビューを送信する、
ように構成される請求項１０に記載の電子商取引チャットサーバ。
【請求項１６】
前記支払い情報は、第１の支払い情報及び第２の支払い情報を含み、前記電子商取引チャットサーバは、さらに、
前記電子商取引ウェブサイトから、前記第１の参加者によって開始された前記購入トランザクションに対する合計購入金額を受信し、
安全支払いシステムから、前記第１の参加者が第１の金額を支払ったという前記第１の支払い情報を受信し、ここで、前記第１の金額は、前記合計購入金額より小さいものであり、
前記安全支払いシステムから、前記第２の参加者が第２の金額を支払ったという前記第２の支払い情報を受信し、及び
第２の支払い情報に基づいて前記購入トランザクションを完了する、
ように構成される請求項１０に記載の電子商取引チャットサーバ。
【請求項１７】
前記電子商取引チャットサーバは、さらに、
前記第１の金額が合計購入金額よりも小さいことを判断し、
前記第１の金額と合計購入金額との間の差分を計算し、並びに
前記第１のクライアントコンピュータ装置及び前記第２のクライアントコンピュータ装置に、前記計算された差分を送信する、
ように構成される請求項１６に記載の電子商取引チャットサーバ。
【請求項１８】
前記電子商取引チャットサーバは、さらに、
前記第２の支払い情報に基づいて、前記第２の金額が前記計算された差分と等しいことを判断し、及び
前記判断に基づいて、前記購入トランザクションを完了する、
ように構成される請求項１７に記載の電子商取引チャットサーバ。
【請求項１９】
コンピュータ実行可能命令が組み込まれた、少なくとも一つの不揮発性のコンピュータ読み出し可能記憶媒体であって、少なくとも一つのメモリ装置と結合される少なくとも一つのプロセッサを有する電子商取引チャットサーバによって実行されると、前記コンピュータ実行可能命令は、前記プロセッサに、
少なくとも、第１の参加者と関連する第１のクライアントコンピュータ装置と、第２の参加者と関連する第２のクライアントコンピュータ装置との間のチャットセッションを開始させ、
第１のクライアントコンピュータ装置から、電子商取引ウェブサイトの少なくとも一つのビューを受信させ、
電子商取引ウェブサイトの少なくとも一つのビューを、第２のクライアントコンピュータ装置に送信させ、
第１のクライアントコンピュータ装置及び第２のクライアントコンピュータ装置は、第１のクライアントコンピュータ装置及び第２のクライアントコンピュータ装置のそれぞれに、電子商取引ウェブサイトの少なくとも一つのビューを同時に表示させ、ここで、前記電子商取引ウェブサイトの少なくとも一つのビューは、少なくとも一つの購入可能な商品を含むものであり、
前記電子商取引ウェブサイトの前記少なくとも一つのビューに含まれる少なくとも一つの購入可能な商品に対する購入トランザクションを開始させ、
前記購入トランザクションに対する支払い情報を受信させ、並びに
前記支払い情報に基づいて前記購入トランザクションを完了させる、
少なくとも一つの不揮発性のコンピュータ読み出し可能記憶媒体。
【請求項２０】
前記支払い情報は、第１の支払い情報及び第２の支払い情報を含み、前記コンピュータ実行可能命令は、前記プロセッサに、さらに、
前記電子商取引ウェブサイトから、前記第１の参加者によって開始された前記購入トランザクションに対する合計購入金額を受信させ、
安全支払いシステムから、前記第１の参加者が第１の金額を支払ったという前記第１の支払い情報を受信させ、ここで、前記第１の金額は前記合計購入金額より小さいものであり、
前記第１の金額が合計購入金額より小さいことを判断させ、
前記第１の金額と合計購入金額との間の差分を計算させ、
前記第１のクライアントコンピュータ装置及び前記第２のクライアントコンピュータ装置に、前記計算された差分を送信させ、
前記安全支払いシステムから、前記第２の参加者が第２の金額を支払ったという第２の支払い情報を受信させ、
前記第２の支払い情報に基づいて、前記第２の金額が前記計算された差分と等しいことを判断させ、並びに
前記判断に基づいて、前記購入トランザクションを完了させる、
請求項１９に記載の少なくとも一つの不揮発性のコンピュータ読み出し可能記憶媒体。
【外国語明細書】
2019083069.tif 000011
2019083069.tif 000012
2019083069.tif 000013
2019083069.tif 000014
2019083069.tif 000015
2019083069.tif 000016
2019083069.tif 000017
2019083069.tif 000018
2019083069.tif 000019
2019083069.tif 000020
2019083069.tif 000021
2019083069.tif 000022
2019083069.tif 000023
2019083069.tif 000024
2019083069.tif 000025
2019083069.tif 000026
2019083069.tif 000027
2019083069.tif 000028
2019083069.tif 000029
2019083069.tif 000030
2019083069.tif 000031
2019083069.tif 000032
2019083069.tif 000033
2019083069.tif 000034
2019083069.tif 000035
2019083069.tif 000036
2019083069.tif 000037
2019083069.tif 000038
2019083069.tif 000039
2019083069.tif 000040
2019083069.tif 000041
2019083069.tif 000042
2019083069.tif 000043
2019083069.tif 000044
2019083069.tif 000045
2019083069.tif 000046
Fig.6
2019083069.tif 000047
2019083069.tif 000048
2019083069.tif 000049
2019083069.tif 000050
2019083069.tif 000051
2019083069.tif 000052
2019083069.tif 000053
2019083069.tif 000054